(57)【要約】【課題】化粧パネルの脱着作業時及び空気調和機本体の高さ調整時の作業効率を向上させる。【解決手段】化粧パネル１Ｂは、空気の吸込口１２と吹出口１３とが設けられており、矩形状の四隅を切り欠いた傾斜面１１ａを有する化粧パネル本体１０と、化粧パネル本体１０の四隅にそれぞれ取り付けられており、傾斜面１１ａに対向する傾斜端面２１を有するコーナー部材２０と、コーナー部材２０を化粧パネル本体１０に対しスライドするとともに室内側へ回転するように保持するコーナー保持部４０とを備えている。コーナー保持部４０は、コーナー部材２０が室内側に回転した際に、コーナー部材２０の傾斜端面２１が化粧パネル本体１０の表面に対向するように保持している。【選択図】図１１
2014142155.tif 000002
【特許請求の範囲】
【請求項１】
空気の吹出口と吸込口とが設けられており、矩形状の四隅を切り欠いた傾斜面を有する化粧パネル本体と、
前記化粧パネル本体の四隅にそれぞれ取り付けられるものであって、前記化粧パネル本体の傾斜面に対向する傾斜端面を有するコーナー部材と、
前記コーナー部材を前記化粧パネル本体に対しスライドするとともに室内側へ回転するように保持するコーナー保持部と
を備え、
前記コーナー保持部は、前記コーナー部材が室内側に回転した際に、前記コーナー部材の傾斜端面が前記化粧パネル本体の表面に対向するように前記コーナー部材を保持することを特徴とする化粧パネル。
【請求項２】
前記コーナー保持部は、前記化粧パネル本体側に配置された固定部材と、前記コーナー部材側に配置され前記固定部材に接続される可動部材とを備えたものであり、
前記固定部材は、前記化粧パネル本体の傾斜面から突出した基台と、前記基台の端部に鉛直方向に向かって延びる複数の係止片とを有し、前記複数の係止片の間から前記基台にわたり連続した隙間が形成されているものであり、
前記可動部材は、
前記傾斜端面から突出しており、前記複数の係止片の間に挟まれた状態でスライドするように保持されるピンと、
前記ピンの先端に設けられ、前記コーナー部材のスライド時に前記複数の係止片に接続して水平方向の移動を規制するとともに、前記コーナー部材の回転時に回転軸となる円筒部と
を備えたものであることを特徴とする請求項１に記載の化粧パネル。
【請求項３】
前記固定部材は、前記係止片の隙間の一部に隙間間隔が前記ピンの幅よりも狭くなるように設けられた回転規制部を有し、前記回転規制部は、前記コーナー部材の前記傾斜端面が前記化粧パネル本体の表面に対向した際に、前記ピンの前記係止片側への回転動作を規制するものであることを特徴とする請求項２に記載の化粧パネル。
【請求項４】
前記固定部材は、前記係止片の上端側の隙間の一部に隙間間隔が前記ピンの幅よりも狭くなるように設けられたピン保持部を有し、前記ピン保持部は、前記コーナー部材が室内側への回転動作を規制するものであることを特徴とする請求項２または３に記載の化粧パネル。
【請求項５】
前記コーナー部材は、前記化粧パネル本体との間の空間に開口を有するものであることを特徴とする請求項１〜４のいずれか１項に記載の化粧パネル。
【請求項６】
前記コーナー部材の上面に着脱可能に取り付けられるコーナーカバーをさらに備えたことを特徴とする請求項１〜５のいずれか１項に記載の化粧パネル。
【請求項７】
天井に吊りボルトを介して固定された、熱交換器及び送風機を有する空気調和機本体と、
前記空気調和機本体の室内側に取り付けられた請求項１〜６のいずれか１項に記載の化粧パネルと
を備えたことを特徴とする空気調和機。
【発明の詳細な説明】
【技術分野】
【０００１】
本発明は、天井に埋め込まれる空気調和機の化粧パネル及びこれを用いた空気調和機に関するものである。
【背景技術】
【０００２】
従来から熱交換器及び送風機等の機器が内蔵された箱型の空気調和機本体が天井に埋め込まれた埋め込み型空気調和機が知られている。この埋め込み型空気調和機は、空気調和機本体が天井に形成された開口部に複数の吊りボルトを用いて固定される。そして、空気調和機本体の室内側に化粧パネルが取り付けられ、空気調和機本体及び天井の開口部を塞ぎ美観性を持たせている。
【０００３】
この埋め込み型空気調和機において、上述した空気調和機本体に化粧パネルが取り付けられた後に空気調和機本体の高さの調節を行う場合がある。このとき、天井裏の吊りボルトに対する空気調和機本体の固定位置が調節する必要がある。ここで、化粧パネル全体を外すことなく吊りボルトに対し作業を行い、空気調和機本体の高さ調整を行う方法が提案されている（例えば特許文献１参照）。特許文献１には、化粧パネルのコーナー部が化粧パネル本体から着脱可能な構造を有しており、高さ調節する際にはコーナー部を取り外し作業を行うことが開示されている。
【先行技術文献】
【特許文献】
【０００４】
【特許文献１】特開２０００−３２０８８８号公報
【発明の概要】
【発明が解決しようとする課題】
【０００５】
特許文献１に示すような空気調和機本体の高さ調節の作業効率を向上させることに加えて、化粧パネルの取付作業の作業性を向上させることが望まれている。すなわち、化粧パネルを空気調和機本体に取り付ける際、空気調和機本体が天井に固定された後に化粧パネルを空気調和機本体まで持ち上げ取り付ける。この際、化粧パネルは平板状に形成されたものであって作業者が把持する部位がなく、例えば化粧パネルの表面を手で支えながら作業を行うことになる。このため、空気調和機本体まで保持しながら持ち上げる際に化粧パネルの保持状態が不安定になりやすく、作業性が悪いという問題がある。
【０００６】
本発明は、上記のような課題を解決するためになされたもので、取付位置の調節作業の効率を向上させるとともに化粧パネルの着脱作業の作業性を向上させることができる化粧パネル及びこれを用いた空気調和機を提供することを目的とする。
【課題を解決するための手段】
【０００７】
本発明に係る化粧パネルは、空気の吹出口と吸込口とが設けられており、矩形状の四隅を切り欠いた傾斜面を有する化粧パネル本体と、化粧パネル本体の四隅にそれぞれ取り付けられるものであって、化粧パネル本体の傾斜面に対向する傾斜端面を有するコーナー部材と、コーナー部材を化粧パネル本体に対しスライドするとともに室内側へ回転するように保持するコーナー保持部とを備え、コーナー保持部は、コーナー部材が室内側に回転した際に、コーナー部材の傾斜端面が化粧パネル本体の表面に対向するようにコーナー部材を保持することを特徴とする。
【発明の効果】
【０００８】
本発明に係る化粧パネルによれば、コーナー部材を持ち手として化粧パネルの取付作業を行うことができるとともに、高さ調節時にコーナー部材を回転させて天井裏の作業を行うことができるため、作業効率の向上を図ることができる。
【図面の簡単な説明】
【０００９】
【図１】本発明の空気調和機の好ましい実施形態を示す概略斜視図である。
【図２】本発明の化粧パネルの好ましい実施形態を示す平面図である。
【図３】図２の化粧パネルにおいてコーナーカバーを取り外した状態を示す平面図である。
【図４】図２のコーナーカバーの一例を示す斜視図である。
【図５】図２の化粧パネル本体の一例を示す平面図である。
【図６】図２の化粧パネルにおけるコーナー保持部の周辺部位を示す斜視図である。
【図７】図６のコーナー保持部における固定部材の一例を示す斜視図である。
【図８】図２のコーナー部材２０側に配置された可動部材６０の周辺部位を示す斜視図である。
【図９】図６のコーナー部材の回転動作の一例を示す模式図である。
【図１０】図２の化粧パネルのコーナー部材がスライドした様子を示す平面図である。
【図１１】図２の化粧パネルのコーナー部材が回転した様子を示す斜視図である。
【発明を実施するための形態】
【００１０】
以下、本発明の化粧パネル及びこれを用いた空気調和機の実施形態について図面を用いて詳細に説明する。図１は本発明の空気調和機の好ましい実施形態を天井裏から見た概略斜視図、図２は本発明の化粧パネルの好ましい実施形態を示す平面図である。図１の空気調和機１は、例えば室内の暖房及び冷房を行うものであって、天井Ｃに形成された開口Ｃ１に埋め込まれている。この空気調和機１は、室内空間の暖房及び冷房を行う空気調和機本体１Ａと、空気調和機本体１Ａの室内側に取り付けられた化粧パネル１Ｂとを有している。
【００１１】
空気調和機本体１Ａは、内部に環状の熱交換器及び熱交換器の中心に配置された送風機が収容された箱状のものであって、例えば天井裏の梁に固定された吊り金具２により天井Ｃに固定されている。空気調和機本体１Ａの四隅にはテーパ面が形成されており、各テーパ面には吊り金具２が設けられている。そして、吊りボルト１０１と吊り金具２とが接続され、ナット３によって固定されている。
【００１２】
図２の化粧パネル１Ｂは、化粧パネル本体１０、コーナー部材２０、コーナーカバー３０を備えている。化粧パネル本体１０は、たとえば一体成形された樹脂からなる化粧パネル本体１０に吸込口１２、吹出口１３となる開口が形成されたものであって、空気調和機本体１Ａに対しネジ等の固定部材により固定されている。吸込口１２は、空気調和機本体１Ａに空気が吸い込まれる際に通風するものであって、化粧パネル本体１０の中央に設けられている。吸込口１２には空気を吸い込む際に埃を除去するための吸込グリル１２ａが取り付けられている。吹出口１３は、化粧パネル本体１０には熱交換器により熱交換された冷風もしくは温風を室内に供給するものである。吹出口１３には風向きを案内するルーバー１４が取り付けられており、ルーバー１４はモータ部１５に接続されている。そして、モータ部１５が駆動することによりルーバー１４が揺動し、吹出口１３から吹き出される冷風もしくは温風を案内する方向を変えて案内できるようになっている。
【００１３】
化粧パネル本体１０は、矩形状の四隅を切り欠いた形状を有しており、切り欠いた四隅にはコーナー部材２０が着脱可能に取り付けられている。このコーナー部材２０上にはコーナーカバー３０が着脱可能に取り付けられている。図３は図２の化粧パネル１Ｂにおいてコーナーカバー３０を取り外した状態を示す平面図、図４はコーナーカバー３０の一例を示す斜視図である。コーナーカバー３０は、化粧パネル本体１０の隅及びコーナー部材２０に被覆するものであって５角形の形状を有している。コーナーカバー３０は、天井Ｃ側へ出ている爪３１、３２と、化粧パネル本体１０にネジ止めするための板３３とを有している。
【００１４】
一方、化粧パネル１Ｂの外周部１１には爪３１を挿入するための穴１６が形成されているとともに、コーナー部材２０には爪３２を挿入するための穴２４が形成されている。そして、コーナーカバー３０の爪３１、３２がそれぞれ化粧パネル本体１０及びコーナー部材２０の穴１６、２４に嵌め、板３３を化粧パネル本体１０にネジ止めすることで固定する。このように、コーナーカバー３０を取り付けることにより、化粧パネル１Ｂの美観性を持たせるとともにコーナー部材２０を確実に固定することができる。
【００１５】
図５は図２の化粧パネル本体１０の一例を示す平面図である。図５の化粧パネル本体１０は平面略矩形状に形成されているとともに、四隅が天井Ｃの開口Ｃ１に接続する直線状（矢印Ｘ方向及びＹ方向）に延びた外周部１１に対し、所定の角度（例えば４５度）で切り欠かれている。なお、外周部１１には所定の角度で傾斜した傾斜面１１ａが形成されている。この切り欠かれた化粧パネル本体１０の四隅にそれぞれコーナー部材２０が取り付けられ、コーナー部材２０の上に上述したコーナーカバー３０が取り付けられる（図３、図４参照）。
【００１６】
図６は図２の化粧パネル１Ｂにおけるコーナー部材２０の周辺部位を示す斜視図であり、図６を参照してコーナー部材２０について説明する。コーナー部材２０は、化粧パネル本体１０の切り欠かれた四隅に取り付けられたものであってＬ字型に形成されている。そして、化粧パネル本体１０のＸ方向及びＹ方向に延びる外周部１１にそれぞれ接続されることにより化粧パネル１Ｂは矩形形状となり、同じく矩形形状の天井Ｃの開口Ｃ１を塞ぐようになっている。また、コーナー部材２０はＬ字形状を有しているため、コーナー部材２０と化粧パネル本体１０との間には開口２２が形成されている。また、コーナー部材２１は化粧パネル本体１０の傾斜面１１ａに対向する傾斜端面２１を有しており、通常時において傾斜端面２１は傾斜面１１ａに対し隙間なく接触している。
【００１７】
コーナー部材２０は、化粧パネル本体１０に対しコーナー保持部４０により接続されている。コーナー保持部４０は、コーナー部材２０が化粧パネル本体１０に対し矢印α方向にスライドするとともに室内側へ回転するようにコーナー部材２０を保持している。このコーナー保持部４０は、化粧パネル本体１０側に配置された固定部材５０と、コーナー部材２０側に配置され、固定部材５０に着脱可能に保持される可動部材６０とを備えている。
【００１８】
図７は図２の化粧パネル本体１０側に配置された固定部材５０の周辺部位を示す斜視図である。図７の固定部材５０は、化粧パネル本体１０の外周部１１の端部に配置されたものであって、基材５１、複数の係止片５２を備えている。基材５１は化粧パネル本体１０の外周部１１の端部からコーナー部材２０側へ突出しており、複数の係止片５２は基材５１の先端に鉛直方向（矢印Ｚ方向）に沿って延びるようにたとえば２つ設けられている。複数の係止片５２はそれぞれ直方体形状を有しており、傾斜面１１ａに対し平行であってＸＺ平面又はＹＺ平面に対したとえば４５度傾いている。複数の係止片５２の間には隙間５３が形成されており、この隙間５３は複数の係止片５２の間から基材５１と係止片５２との接続部位を通り基材５１の一部（ＸＹ平面）にわたるまで連続して形成されている。
【００１９】
図８は図２のコーナー部材２０側に配置された可動部材６０の周辺部位を示す斜視図である。図８の可動部材６０は、ベース６１、ピン６２、円筒部６３を備えている。ベース６１はコーナー部材２０に対し鉛直方向（矢印Ｚ方向）に延びるたとえば直方体に形成されたものであって、ピン６２の一端が固定されている。ピン６２は、コーナー部材２０の傾斜端面２１から突出しており、複数の係止片５２の間に挟まれ矢印α方向にスライドするように保持されるものである（図６参照）。
【００２０】
具体的には、ベース６１は、傾斜端面２１に平行な平面を有しており、この平面に対して垂直にピン６２が延びている。したがって、ピン６２は傾斜端面２１に対し直交する方向（矢印α方向）に延びた状態になっており、さらに複数の係止片５２の隙間５３に挟まれる。これにより、ピン６２が複数の係止片５２にガイドされて矢印α方向にスライドすることになる。なお、ピン６２が矢印α方向にスライドする場合について例示しているが、必ずしも直交している必要はなく、コーナー部材２０が化粧パネル本体１０の他の部位に干渉せずに回転移動するとともに、回転した後に傾斜端面２１が化粧パネル本体１０の表面に対向する位置に位置決めできる方向にスライドするものであればよい。
【００２１】
円筒部６３はピン６２の他端側の先端に設けられたものであって、コーナー部材２０のスライド時に複数の係止片５２に接続して水平方向（矢印α方向）の移動を規制するとともに、コーナー部材２０の回転時に回転軸となるものである。そして、コーナー保持部４０は、コーナー部材２０が室内側に回転した際に、コーナー部材２０における化粧パネル本体１０の側面に対向する傾斜端面２１が化粧パネル本体１０の表面に対向するように保持するようになっている（図９（Ｄ）、図１１参照）。
【００２２】
さらに、図７に示すように、固定部材５０の隙間５３には、ピン６２を水平状態に保つピン保持部５４と、ピン６２の回転動作を規制する回転規制部５５とがそれぞれ設けられている。ピン保持部５４は、複数の係止片５２の隙間５３の隙間間隔が下側に向かって徐々に広くなるような三角形状を有するものであって、通常時においてピン６２（コーナー部材２０）が室内側に回転するのを規制している。そして、コーナー部材２０に対し室内側に回転する方向に一定の力が加えられた際、コーナー部材２０が室内側に回転するようになっている。このように、ピン保持部５４が設けられていることにより、コーナーカバー３０を取り付けていない状態であってもコーナー部材２０を水平に保持し仮固定することができる。
【００２３】
回転規制部５５は、基材５１側の隙間５３の一部に隙間５３の間隔が狭くなるように突出した形状を有するものであって、ピン６２（コーナー部材２０）が回転して鉛直方向（矢印Ｚ方向）を向いている際に、ピン６２が元に戻る方向に回転するのを規制するものである。そして、コーナー部材２０に対し元に戻る方向（矢印β方向の反対方向）に一定の力が加えられた際、コーナー部材２０が元に戻る方向に回転するようになっている。この回転規制部５５を設けることにより、コーナー部材２０が回転した状態を安定的に保つことができる。
【００２４】
図９は図６のコーナー部材２０の回転動作の一例を示す模式図、図１０は図２の化粧パネル１Ｂのコーナー部材２０がスライドした状態を示す平面図、図１１は化粧パネル１Ｂのコーナー部材２０が回転した様子を示す斜視図であり、図９から図１１を参照してコーナー部材２０の回転動作について説明する。まず、図９（Ａ）に示すように、化粧パネル本体１０とコーナー部材２０とが接続されている状態から、図９（Ｂ）に示すように矢印α方向にスライドする（図１０参照）。この際、ピン６２が複数の係止片５２にガイドされながら矢印α方向にスライドしていく。そして、ピン６２の先端の円筒部６３が係止片５２に当たり、コーナー部材２０の矢印α方向へのスライドが規制される。
【００２５】
その後、図９（Ｃ）に示すように、コーナー部材２０が円筒部６３を中心として室内側（矢印β方向）に回転する（図１１参照）。この際、複数の係止片５２に挟まれたピン６２が複数の係止片５２によりガイドされながら隙間５３を通りながら矢印β方向に回転する。そして、図９（Ｄ）に示すように、コーナー部材２０における化粧パネル本体１０の側面に対向する傾斜端面２１が化粧パネル本体１０の表面に対向する位置で保持される。このとき、回転規制部５５によりピン６２の回転動作が規制されるとともに、円筒部６３の鉛直方向（矢印Ｚ方向）の移動が開放され、コーナー部材２０から傾斜端面２１を介して化粧パネル本体１０の表面へ力を加えることができるようになる。
【００２６】
次に、図１から図１１を参照して、空気調和機１の天井Ｃへの設置作業の一例について説明する。まず、上述したように、空気調和機本体１Ａが天井Ｃの開口Ｃ１へ挿入され、天井裏の吊りボルト１０１を引っ掛け、ナット３を締めることにより固定されている。その後、天井Ｃに設置された空気調和機本体１Ａに対し化粧パネル１Ｂが取り付けられる。この際、作業者はコーナー部材２０を化粧パネル本体１０の表面側へ回転させておき（図９〜図１１参照）、コーナー部材２０を把持して化粧パネル本体１０を持ち上げる。なお、四隅のすべてのコーナー部材２０が回転させておく必要はなく、たとえば対角線にある２つの取付作業時に把持するコーナー部材２０を折り曲げるようにしてもよい。化粧パネル１Ｂが空気調和機本体１Ａへ固定された後、コーナー部材２０が天井Ｃ側へ回転させて化粧パネル本体１０と水平にし、さらに水平方向（矢印α方向の逆方向）にスライドさせる。この際、ピン保持部５４によりコーナー部材２０は化粧パネル本体１０に仮固定される（図７参照）。その後、コーナーカバー３０がコーナー部材２０上に固定される（図２参照）。
【００２７】
このように、コーナー部材２０が回転可能であるとともに、傾斜端面２１が化粧パネル本体１０の表面を支持することができる構造を有することにより、化粧パネル１Ｂの取付作業時にコーナー部材２０を持ち手として使用することができるため、取付作業の効率化を図ることができる。すなわち、上述の通り、化粧パネル１Ｂは平板状に形成されたものであって作業者が把持する部位がなく、従来においては例えば化粧パネル１Ｂの表面を手で支えながら作業を行う必要がある。このため、空気調和機本体１Ａまで保持しながら持ち上げる際に化粧パネル１Ｂの保持状態が不安定になりやすく、作業性が悪いという問題がある。一方、図２の化粧パネル１Ｂにおいては、コーナー部材２０を持ち手として使用することができるため、作業者は化粧パネル１Ｂを安定して保持し空気調和機本体１Ａの位置まで持ち上げることができるため、作業性を向上させることができる。なお、化粧パネル１Ｂを空気調和機本体１Ａに取り付ける場合について例示しているが、空気調和機本体１Ａから化粧パネル１Ｂを取り外す際にも同様にコーナー部材２０を持ち手として使用することができる。
【００２８】
次に、空気調和機本体１Ａの高さ調節をする場合について説明する。化粧パネル１Ｂが空気調和機本体１Ａに固定された後において、空気調和機本体１Ａは室内側から見えないようにする必要がある。言い換えれば、化粧パネル１Ｂは天井Ｃに対し隙間なく設置されている必要がある。化粧パネル１Ｂと天井Ｃとの間に隙間が形成されている場合、吊りボルト１０１に対する吊り金具２の固定位置を調節し、空気調和機本体１Ａの高さ位置の調節を行う必要がある。
【００２９】
この際、コーナー部材２０が化粧パネル本体１０に対し回転させることにより（図９〜図１１参照）、天井Ｃのコーナー部材２０が設置されていた場所から天井裏へ通じる通路が形成される。このように、化粧パネル１Ｂの枠体を形成しているコーナー部材２０を天井Ｃから外すことにより、天井裏への作業スペースを大きく取ることができるため、作業性を向上することができる。特に、空気調和機本体１Ａから出ている冷媒配管の関係で吊りボルト１０１はコーナー部材２０のコーナー部分の中心に位置することができず、コーナー部材２０に形成された開口２２から天井裏の作業を行うのは難しいという問題がある。このとき、上述のようにコーナー部材２０を天井Ｃから外し作業性の向上を図ることができる。また、従来のようにコーナー部材２０を化粧パネル本体１０から完全に取り外してしまうのではなく、化粧パネル本体１０に保持された状態にあるため、コーナー部材２０の天井Ｃへの着脱作業の効率化を図ることができる。
【００３０】
以上、上記実施形態によれば、コーナー部材２０を化粧パネル本体１０とは別部品で作製し、室内側へ回転するようにしているため、取付時にコーナー部材２０を持ち手として活用するとともに、空気調和機本体１Ａの高さ調整時に化粧パネル本体１０及びコーナー部材２０を取り外さずに作業を行うことができるため、作業効率の向上を図ることができる。
【００３１】
本発明の実施形態は、上記実施形態に限定されない。たとえば上記実施形態において、１つのコーナー部材２０に２つのコーナー保持部４０を設けた場合について例示しているが、３つ以上設けるようにしてもよい。また、コーナー保持部４０は、固定部材５０と可動部材６０とを備えた場合について例示しているが、スライド機構と室内側への回転機構とを備えたものであって、回転した際にコーナー部材２０の傾斜端面２１が化粧パネル本体１０の表面側に対向するものであれば、上記構成に限定されない。たとえば、２つ以上の複数の係止片５２と複数のピン６２とを嵌め合わせた構造を有する、もしくはレール及びレール上をスライドし屈曲部を有する可動部材とを有する等の公知の技術を用いたものであってもよい。
【００３２】
さらに、上記実施形態において、コーナー部材２０の傾斜端面２１において、接触面積が広くなるようにリブが設けられていてもよい。また、上記実施形態において、化粧パネル本体１０とコーナー部材２０との接続面が外周部（矢印Ｘ、Ｙ方向）に対し４５度傾斜している場合について例示しているが、この傾斜角度に限定されず、回転動作をする際に他の部位と干渉せず、傾斜端面２１が化粧パネル本体１０の表面に対向するように位置決めされるような傾斜角度であればよい。
【符号の説明】
【００３３】
１  空気調和機、１Ａ  空気調和機本体、１Ｂ  化粧パネル、２  吊り金具、３  ナット、１０  化粧パネル本体、１１  外周部、１１ａ  傾斜面、１２  吸込口、１２ａ  吸込グリル、１３  吹出口、１４  ルーバー、１５  モータ部、１６  穴、２０  コーナー部材、２１  傾斜端面、２２  開口、２４  穴、３０  コーナーカバー、３１、３２  爪、３３  板、４０  コーナー保持部、５０  固定部材、５１  基材、５２  係止片、５３  隙間、５４  ピン保持部、５５  回転規制部、６０  可動部材、６１  ベース、６２  ピン、６３  円筒部、１０１  吊りボルト、Ｃ  天井、Ｃ１  開口。
【図１】
2014142155.tif 000003
【図２】
2014142155.tif 000004
【図３】
2014142155.tif 000005
【図４】
2014142155.tif 000006
【図５】
2014142155.tif 000007
【図６】
2014142155.tif 000008
【図７】
2014142155.tif 000009
【図８】
2014142155.tif 000010
【図９】
2014142155.tif 000011
【図１０】
2014142155.tif 000012
【図１１】
2014142155.tif 000013